(57)【要約】【課題】洗い場も浴槽側も濡らすことなく、且つ意匠性も良いドレン水の浴室排水構造を提供する。【解決手段】入浴者が体を洗う洗い場と浴槽が載置される浴槽載置部とを区画する立上りである土手部と、該土手部上に立設され浴槽の上記洗い場側側面を掩蔽する浴槽エプロンと、上記土手部下端近傍に配設され上記洗い場からの排水と上記浴槽からの排水を集めて外部に排水する排水トラップとを有する浴室ユニットの排水構造において、上記浴室ユニット外から導入された排水管を上記浴槽エプロンの下端近傍に上記洗い場側から掩蔽して、上記排水トラップ直上まで配管する。【選択図】  図２
2007270514.tif 000002
【特許請求の範囲】
【請求項１】
入浴者が体を洗う洗い場と浴槽が載置される浴槽載置部とを区画する立上りである土手部と、該土手部上に立設され浴槽の上記洗い場側側面を掩蔽する浴槽エプロンと、上記土手部下端近傍に配設され上記洗い場からの排水と上記浴槽からの排水を集めて外部に排水する排水トラップとを有する浴室ユニットの排水構造において、
上記浴室ユニット外から導入された排水管を上記浴槽エプロンの下端近傍に上記洗い場側から掩蔽して、上記排水トラップ直上まで配管することを特徴とする浴室排水構造。
【請求項２】
前記浴槽エプロン下端と前記土手部上端とを水密に当接する目地材を中空に形成し、前記排水管を上記中空部内に配管したことを特徴とする請求項１記載の浴室排水構造。
【請求項３】
前記排水管を、前記浴槽エプロン下端の前記浴槽載置部側に配管したことを特徴とする請求項１記載の浴室排水構造。
【発明の詳細な説明】
【技術分野】
【０００１】
本発明は、浴室排水構造に係り、特に風呂給湯機が生成する凝縮水を浴室内で排水する浴室排水構造に関する。
【背景技術】
【０００２】
凝縮型の熱交換器を備えた風呂給湯機では、熱交換によってドレン水が発生する。ドレン水はｐＨ２．５〜３程度の強酸性であるので、そのまま排水するとコンクリートの溶解、土壌の酸性化による植物への影響、金属の腐食等を引き起こす。そのため、このタイプの風呂給湯機では、機器内に中和器を設け、ここで中和（ｐＨ６．８程度）して機器外に排出している。そのドレン水は、近年、ユニットバスの排水管等へ排水することが義務付けられた。
【０００３】
従来、このドレン水を、追焚き機能を有する浴槽において、追焚き回路に備えられる追焚き用循環ポンプを経由して浴槽に排出する排水排出路を備えた風呂給湯機がある（例えば、特許文献１参照。）。
【特許文献１】特開２００１−２６３７８９号公報
【発明の開示】
【発明が解決しようとする課題】
【０００４】
しかしながら、いくら中和されているとはいえ、このような排水を風呂湯に混入させることは、心理的に抵抗がある。さりとて、折角設けた防水パン下に、漏水原因となる排水管を無闇に配管したくない。
【０００５】
防水パン上で処理するにしても、洗い場の壁付近から排水トラップまでこのような排水管を露出させることは見苦しいし、配管せずに洗い場床を排水トラップまで這わせるのも、洗い場床を濡らせて不快感を与える。
【０００６】
他方、浴槽裏に排水して、そこから排水トラップへと導くことは、洗い場裏が濡れて、カビ等の原因となり、衛生的でない。
【０００７】
本発明は、上述した事情を考慮してなされたもので、洗い場も浴槽側も濡らすことなく、且つ意匠性も良いドレン水の浴室排水構造を提供することを目的とするものである。
【課題を解決するための手段】
【０００８】
本発明に係る浴室排水構造は、上述した課題を解決するために、請求項１に記載したように、入浴者が体を洗う洗い場と浴槽が載置される浴槽載置部とを区画する立上りである土手部と、該土手部上に立設され浴槽の上記洗い場側側面を掩蔽する浴槽エプロンと、上記土手部下端近傍に配設され上記洗い場からの排水と上記浴槽からの排水を集めて外部に排水する排水トラップとを有する浴室ユニットの排水構造において、上記浴室ユニット外から導入された排水管を上記浴槽エプロンの下端近傍に上記洗い場側から掩蔽して、上記排水トラップ直上まで配管するものである。
【０００９】
好適には、請求項２に記載したように、前記浴槽エプロン下端と前記土手部上端とを水密に当接する目地材を中空に形成し、前記排水管を上記中空部内に配管することが望ましい。
【００１０】
或いは、請求項３に記載したように、前記排水管を、前記浴槽エプロン下端の前記浴槽載置部側に配管することも可能である。
【発明の効果】
【００１１】
本発明に係る浴室排水構造によれば、洗い場も浴槽側も濡らすことなく、且つ意匠性も良くドレン水を排水することができる。
【発明を実施するための最良の形態】
【００１２】
本発明に係る浴室排水構造の実施の形態について、図を参照して説明する。図１は、本発明に係る浴室排水構造を備えるユニットバス１の全体概要を示すものである。
【００１３】
ユニットバス１は、防水パン２と、浴槽３と、壁パネル４と、ドア５とを備える。
【００１４】
防水パン２は、樹脂材によって一体的に形成されており、図１に示すように、ドア５側に人が体を洗える洗い場２０が形成され、他方側に浴槽３が設置される浴槽載置部２１が形成されていて、これらが上方への立ち上がりである土手部２２により区画されている。
【００１５】
洗い場２０は、外周上縁が同一高さに形成され、土手部２２の中間部に設けられた排水トラップ６を指向して下り勾配が形成されている。
【００１６】
浴槽３は、防水パン２の浴槽載置部２１上に設置され、浴槽３本体の洗い場２０側には、防水パン２の土手部２２上方に、浴槽３の側方を覆う浴槽エプロン１０が取り付けられている。
【００１７】
浴槽３には、追焚きアダプタ３１が取り付けられ、壁パネル４を貫通する１組の追焚き配管３２を介して、ユニットバス１の外部に設置された給湯機３０に接続される。
【００１８】
給湯機３０からは、内部で中和されたドレン水を排出するドレン配管３３が延出し、その先端はユニットバス１の壁パネル４を貫通して、浴槽エプロン１０下端と土手部２２上端との間に介装された中空目地材１１内に収納される。
【００１９】
中空目地材１１は、図２に示すように、浴槽エプロン１０下端及び土手部２２上端に外嵌する外嵌部１１ａを備えた略Ｈ字状に形成され、その中央には中空部１１ｂが設けられる。
【００２０】
また、中空目地材１１の、排水トラップ６上部に位置する部分には、中空部１１ｂと連通するドレン排水口３４が設けられる。
【００２１】
そして、ドレン配管３３は、この中空部１１ｂ内を、ドレン排水口３４まで挿通され、給湯機３０から流れてきたドレン水は、ここから排水トラップ６へと落下し、浴室排水管を経由して外部へ排出される。
【００２２】
ドレン配管３３はこのように配管されることにより、ドレン配管３３が洗い場に露出して美観を損ねることもなく、また、ドレン排水が洗い場２０の床や浴槽載置部２１を濡らすこともない。そして、防水パン２下を配管することによる漏水の心配もない。
【００２３】
なお、給湯機３０から延出するパイプ状のドレン配管３３を壁パネル４までとし、ユニットバス１内では、中空目地材１１自体をドレン配管としてもよい。
【００２４】
次に、本発明に係る浴室排水構造の第２の実施形態について、図３を参照して説明する。本実施の形態の浴室排水構造は、同図に示すように、浴槽エプロン１０の浴槽載置部２１側下端近傍に角パイプ３５を配置しこれをドレン配管３３とする点で、第１の実施形態におけるものと基本的に相違し、他の構成は第１の実施形態と実質的に同じであり、同じ符号を付して説明を省略する。
【００２５】
給湯機３０から流れてきたドレン水は、角パイプ３５を経由して、ドレン排水口３４から排水トラップ６へと落下する。この角パイプに代えて、上部が開放された樋状のものとすることもできる。
【００２６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００２７】
【図１】本発明に係る浴室排水構造を備えるユニットバスの全体概要を示す斜視図。
【図２】第１の実施形態に係る浴室排水構造を示す斜視図。
【図３】第２の実施形態に係る浴室排水構造を示す斜視図。
【符号の説明】
【００２８】
１  ユニットバス
２  防水パン
３  浴槽
４  壁パネル
５  ドア
６  排水トラップ
１０  浴槽エプロン
１１  中空目地材
１２  目地材
２０  洗い場
２１  浴槽載置部
２２  土手部
３０  給湯機
３１  追焚きアダプタ
３２  追焚き配管
３３  ドレン配管
３４  ドレン排水口
３５  角パイプ
【図１】
2007270514.tif 000003
【図２】
2007270514.tif 000004
【図３】
2007270514.tif 000005